【事件の表示】
　特許第３２５９１７１号「田植機」の請求項１に係る特許に対する特許異議の申立てについて、次のとおり決定する。
【結　論】
　訂正を認める。
　特許第３２５９１７１号の請求項１に係る特許を取り消す。
【理　由】
１．手続の経緯　　　　　　　　　　　　　　　　　　　　　　　　　　
　本件特許第３２５９１７１号の請求項１に係る発明についての出願は、平成７年２月１４日に特許出願した特願平７−５０５５２号の一部を分割して平成１１年９月２１日に新たな特許出願とし、平成１３年１２月１４日にその特許権の設定登録がなされ、その後、山本進より特許異議の申立てがなされ、取消理由通知がなされ、その指定期間内である平成１５年２月１８日に訂正請求がなされたものである。　     　　　      　　　　　　　　　
　　　　　　　　　　　　　　　　　　　　　　　　　　　　　　　　　
２．訂正の適否についての判断
（１）訂正の内容
　特許権者が求めている訂正の内容は、以下のaないしdのとおりである（下線部が訂正個所である）。　　　　　　　　　　　　　　　　　　　　　　訂正事項ａ　　　　　　　　　　　　　　　　　　　　　　　　　　　　
特許明細書の特許請求の範囲の請求項１中の「苗載台（１６）裏面の左右苗台支柱（１３６）に前記ホースガイドフレーム（１３７）を固定させると共に、」の記載（特許公報第１頁第１欄第１０−１２行）を、　　　　　　
「苗載台（１６）裏面の左右苗台支柱（１３６）に前記ホースガイドフレーム（１３７）を固定させ
、肥料繰出ケース（４７）出口のジョイント（７６）近くでホースガイド体（１３３）によって連結する２条分の搬送ホース（４９）間隔を、ジョイント（７６）に連結させる搬送ホース（４９）端部側の間隔よりも小さくし、ジョイント（７６）とガイドフレーム（１３７）間の２条分の搬送ホース（４９）を正面視（平面視）逆ハの字型に延設させ
　　　　　　　　　　　　　　　　　　　　　　　　　　　　　　　　　
訂正事項ｂ　　　　　　　　　　　　　　　　　　　　　　　　　　　　
特許明細書の段落【０００４】の「苗載台裏面の左右苗台支柱に前記ホースガイドフレームを固定させると共に、」の記載（特許公報第２頁第３欄第２０−２２行）を、
「苗載台裏面の左右苗台支柱に前記ホースガイドフレームを固定させ
、肥料繰出ケース出口のジョイント近くでホースガイド体によって連結する２条分の搬送ホース間隔を、ジョイントに連結させる搬送ホース端部側の間隔よりも小さくし、ジョイントとガイドフレーム間の２条分の搬送ホースを正面視（平面視）逆ハの字型に延設させ
　　　　　　　　　　　　　　　　　　　　　　　　　　　　　　　　　
訂正事項c
特許明細書の段落【００３３】の「苗載台（１６）裏面の左右苗台支柱（１３６）に前記ホースガイドフレーム（１３７）を固定させると共に、」の記載（特許公報第７頁第１３欄第１９−２１行）を、
「苗載台（１６）裏面の左右苗台支柱（１３６）に前記ホースガイドフレーム（１３７）を固定させ
、肥料繰出ケース（４７）出口のジョイント（７６）近くでホースガイド体（１３３）によって連結する２条分の搬送ホース（４９）間隔を、ジョイント（７６）に連結させる搬送ホース（４９）端部側の間隔よりも小さくし、ジョイント（７６）とガイドフレーム（１３７）間の２条分の搬送ホース（４９）を正面視（平面視）逆ハの字型に延設させ
　　　　　　　　　　　　　　　　　　　　　　　　　　　　　　　　　
訂正事項d
特許明細書の【符号の説明】（特許公報第７頁第１４欄第２８行）に以下の記載を追加する。                                                   
「  
（７６）
ジョイント
　
（１３３）
ホースガイド体
 　　　　　　　　　　　　　　　　　　　　　　　　　　　　　　　　　
（２）訂正の目的の適否、新規事項の有無及び拡張・変更の存否　 　　　
　上記訂正事項ａは、特許明細書の特許請求の範囲の請求項１に記載されていた「苗載台（１６）裏面の左右苗台支柱（１３６）にホースガイドフレーム（１３７）を固定させる」という構成を、より下位概念である「苗載台（１６）裏面の左右苗台支柱（１３６）に前記ホースガイドフレーム（１３７）を固定させ、肥料繰出ケース（４７）出口のジョイント（７６）近くでホースガイド体（１３３）によって連結する２条分の搬送ホース（４９）間隔を、ジョイント（７６）に連結させる搬送ホース（４９）端部側の間隔よりも小さくし、ジョイント（７６）とガイドフレーム（１３７）間の２条分の搬送ホース（４９）を正面視（平面視）逆ハの字型に延設させる」と限定するものであり、この限定は特許明細書の段落【００２７】及び【００３１】の記載に基くものであるから、特許請求の範囲の減縮を目的とした明細書の訂正に該当する。また、上記訂正事項bないしdは、前記特許請求の範囲の減縮に伴って、減縮された特許請求の範囲の記載と発明の詳細な説明の記載との整合を図るものであるから、明瞭でない記載の釈明を目的とした明細書の訂正に該当し、いずれも、新規事項の追加に該当せず、実質上特許請求の範囲を拡張し、変更するものではない。
　　　　　　　　　　　　　　　　　　　　　　　　　　　　　　　　　
（３）むすび　　　　　　　　　　　　　　　　　　　　　　　　　　　
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書、第２項及び第３項の規定に適合するので、当該訂正を認める。
　　　　　　　　　　　　　　　　　　　　　　　　　　　　　　　　　
３．特許異議申立てについての判断　　　　　　　　　　　　　　　　　
（１）本件の請求項１に係る発明 　　　　　　　　　　　　　　　　　　
　上記２．で示したように上記訂正が認められるので、本件の請求項１に係る発明（以下、「本件発明」という）は、上記訂正に係る訂正明細書の特許請求の範囲の請求項１に記載されたつぎのとおりのものと認められる。
「肥料を入れる施肥ホッパ（４６）と、該ホッパ（４６）の肥料を送出させる多条用の肥料繰出ケース（４７）と、前記ケース（４７）の肥料送出部に送風を供給するエアタンク（５１）と、エアタンク（５１）一側に設ける送風機（５０）を備える田植機において、前記肥料繰出ケース（４７）の出口を側条施肥シュート（４８）に接続させる多条用の各搬送ホース（４９）中間を係止させるホースガイドフレーム（１３７）を設け、苗載台（１６）裏面の左右苗台支柱（１３６）に前記ホースガイドフレーム（１３７）を固定させ、肥料繰出ケース（４７）出口のジョイント（７６）近くでホースガイド体（１３３）によって連結する２条分の搬送ホース（４９）間隔を、ジョイント（７６）に連結させる搬送ホース（４９）端部側の間隔よりも小さくし、ジョイント（７６）とガイドフレーム（１３７）間の２条分の搬送ホース（４９）を正面視（平面視）逆ハの字型に延設させると共に、側条施肥シュート（４８）近傍の搬送ホース（４９）を取付ける支持部材（１４０）を設け、支持部材（１４０）によって肥料送出側を植付部（１５）に支持させる搬送ホース（４９）のたれ下がり中間部を苗台支柱（１３６）のホースガイドフレーム（１３７）に固定させたことを特徴とする田植機。」　　　　　　　　　　　　　　　　　　　　　　　　　　　　　　　　　　　　　
（２）引用刊行物に記載された発明　　　　　　　　　　　　　　　　　
　取消理由で引用した本件発明の出願前頒布された刊行物である、刊行物１ないし刊行物３にはそれぞれ以下の発明が記載されている。
刊行物１（特開平３−２４４３０７号公報、甲第１号証）
刊行物１には以下の記載がある。
1-a「乗用走行車体の後部寄りに運転座席を設け、該乗用走行車体の後部に移植部を昇降可能に装着し、この移植部と上記運転座席との間に施肥装置を設けた移植機」（第１頁左下欄第４−７行）　　　　
1-b「施肥装置１３は、移植部１２の苗植え付け条数と同じ施肥条数（６条）を有するもので、上部に粉・粒状肥料を収容する肥料ホッパ１８を設け、その下部に・・・ホッパ１８内の肥料を下方に所定量ずつ繰り出す繰り出し部１９を設け、この繰り出し部１９から繰り出された肥料が落下する前後通路２０を設けると共に、該前後通路２０の前側に左右方向に延び、フレームを兼ねるエアーチャンバー２１を連通させて配設し、このエアーチャンバー２１の前部に送風機２２からの送風管２３を連通させている。上記前後通路２０の後端部に、可撓性を有する合成樹脂製ホースからなる施肥管２４を連通させて圃場面近くまで延出させ、この施肥管２４の下端部に施肥ノズル２５を連結し、該施肥ノズル２５の前側に開溝板２６を取付けている。・・・施肥管２４は、その上部位置において支持環２８を嵌挿し、２つの支持環２８，２８を連結杆２８ａで連結してその中間部をスプリング２９を介して上記苗載せ台支持杆２７に吊下げている。」（第２頁右下欄第１４行−第３頁右上欄第１４行）
1-c「施肥装置１３では、肥料ホッパ１８に収容された粉・粒状の肥料が、繰り出し部１９により所定量ずつ下方へ繰り出されて前後通路２０に向け落下し、その落下過程で、送風機２２−送風管２３−エアーチャンバー２１からの圧力風により後方に吹き飛ばされて施肥管２４を通って施肥ノズル２５にもたらされ・・・施肥される。」（第３頁左下欄第１２−１９行）
1-d「第４図および第５図に示す前後通路２０と施肥管２４との連結構造の他の実施例においては、各施肥管２４，２４…を連結具３０で連結し、」（第３頁右下欄第１２−１４行）
上記の記載（1-aないし1-d）より、第４図および第５図に示す他の実施例を採用した場合において、刊行物１にはつぎの発明（以下、「引用発明１」という）が記載されていると認められる。
「乗用走行車体の後部寄りに運転座席を設け、該乗用走行車体の後部に移植部を昇降可能に装着し、この移植部と上記運転座席との間に施肥装置を設け、施肥装置１３は、移植部１２の苗植え付け条数と同じ施肥条数（６条）を有するもので、上部に粉・粒状肥料を収容する肥料ホッパ１８を設け、肥料ホッパ１８に収容された粉・粒状の肥料が、繰り出し部１９により所定量ずつ下方へ繰り出されて前後通路２０に向け落下し、該前後通路２０の前側に左右方向に延び、フレームを兼ねるエアーチャンバー２１を連通させて配設し、このエアーチャンバー２１の前部に送風機２２からの送風管２３を連通させ、上記前後通路２０の後端部に、可撓性を有する合成樹脂製ホースからなる施肥管２４，２４…を連結具３０で連結して圃場面近くまで延出させ、この施肥管２４の下端部に施肥ノズル２５を連結し、肥料は送風機２２−送風管２３−エアーチャンバー２１からの圧力風により後方に吹き飛ばされて施肥管２４を通って施肥ノズル２５にもたらされ施肥される移植機であって、上記施肥管２４は、その上部位置において支持環２８を嵌挿し、２つの支持環２８，２８を連結杆２８ａで連結してその中間部をスプリング２９を介して苗載せ台支持杆２７に吊下げている、移植機。」
また、甲第１号証の図１によれば、「施肥管２４」は「施肥ノズル２５」の近傍において「苗載台支持杆２７」に取付けられているといえる。
　　　　　　　　　　　　　　　　　　　　　　　　　　　　　　　　　
刊行物２（特開平５−２６８８１５号公報、甲第２号証）
刊行物２には以下の記載がある。
2-a「乗用型田植機１は、４輪駆動形式の乗用車体２の後部に昇降リンク３を介して苗植付け装置４を昇降可能に装着している。また、乗用車体２と苗植付け装置４との間の乗用車体２の後部位置には、施肥装置５が配設されている。この施肥装置５には、肥料ホッパ６の下側に、肥料繰り出し部６ａから繰り出される肥料を、肥料繰り出し部６ａから圃場面に向け延出されたビニール管からなる施肥管７に向け送り出す送風管８が設けられ、この送風管８にモータ９により駆動されるブロア１０が接続されている。」（第２頁第１欄第４７行−第２欄第７行）　　　　
2-b「施肥管７の基端部７ｄは、一端をネジ７ｆにより施肥装置５下部に固定したバネ線材７ｅによりリング状に支持されており、基端部７ｄが屈折して肥料詰まりを生じないようになっている。」（第２頁第２欄第２０−２４行）
2-c「施肥管７の基端部７ｄ部分は頻繁に弯曲または屈曲されることになるが、基端部７ｄはバネ線材７ｅによりリング状に支持されているので、施肥装置５の昇降リンク３による昇降動作時には支障なく弯曲または屈曲し、施肥作業状態のときには基端部７ｄは屈曲しない状態に支持されており」（第３頁第３欄第４１−４６行）
上記の記載（2-aないし2-c）より、刊行物２にはつぎの発明（以下、「引用発明２」という）が記載されていると認められる。
「乗用車体２の後部に昇降リンク３を介して苗植付け装置４を昇降可能に装着し、乗用車体２と苗植付け装置４との間の乗用車体２の後部位置には施肥装置５が配設されており、この施肥装置５には、肥料ホッパ６の下側に、肥料繰り出し部６ａから繰り出される肥料を、肥料繰り出し部６ａから圃場面に向け延出されたビニール管からなる施肥管７に向け送り出す送風管８が設けられ、この送風管８にモータ９により駆動されるブロア１０が接続されている乗用型田植機であって、前記施肥管７の基端部７ｄは、一端をネジ７ｆにより施肥装置５下部に固定したバネ線材７ｅによりリング状に支持されており、基端部７ｄが屈折して肥料詰まりを生じないようになっていると共に、施肥管７の基端部７ｄ部分は頻繁に弯曲または屈曲されることになるが、バネ線材７ｅによりリング状に支持されているので、施肥装置５の昇降リンク３による昇降動作時には支障なく弯曲または屈曲し、施肥作業状態のときには基端部７ｄは屈曲しない状態に支持されている、乗用型田植機。」
また、刊行物２の図４によれば、「ブロア１０」は「送風管８」の一側に設けられているといえる。
　　　　　　　　　　　　　　　　　　　　　　　　　　　　　　　　　
刊行物３（実願昭６２−４６１４０号（実開昭６３−１５１７１３号）の願　　　　　書に添付した明細書及び図面の内容を撮影したマイクロフィルム　　　　　、甲第３号証）
刊行物３には以下の記載がある。
3-a「多数の施肥ノズル１６を横方向に間隔をおいて支持部材に装着し、それらの施肥ノズル１６を肥料ポンプ１７に肥料ホース２５，２５aで接続し、前記支持部材を走行機体１に対して昇降可能に装着した施肥機」（第１頁第５−９行）
3-b「肥料ホース２５，２５a‥の中途部を支持部材２４と一体な多数のクリップ２４a‥に加圧嵌合し、前記支持部材２４をアッパーリンク７に固定すると、インジケータ２３の後部で各肥料ホース２５，２５a‥が略同一の平面内に整然と配列され、それにより配管を容易に行なうことができる」（第６頁第１５行−第７頁第１行）
上記の記載（3-a及び3-b）より、刊行物３にはつぎの発明（以下、「引用発明３」という）が記載されていると認められる。
「多数の施肥ノズル１６を横方向に間隔をおいて支持部材に装着し、それらの施肥ノズル１６を肥料ポンプ１７に肥料ホース２５，２５aで接続し、前記支持部材を走行機体１に対して昇降可能に装着した施肥機において、肥料ホース２５，２５a‥の中途部を支持部材２４と一体な多数のクリップ２４a‥に加圧嵌合し、前記支持部材２４をアッパーリンク７に固定すると、インジケータ２３の後部で各肥料ホース２５，２５a‥が略同一の平面内に整然と配列され、それにより配管を容易に行なうことができる、施肥機。」
　　　　　　　　　　　　　　　　　　　　　　　　　　　　　　　　　
（３）対比・判断
　本件発明と引用発明１とを対比すると、引用発明１における「粉・粒状肥料を収容する肥料ホッパ」は本件発明における「肥料を入れる施肥ホッパ」に対応しており、同様に「（肥料が）繰り出され」は「（肥料を）送出させ」に、「苗植え付け条数と同じ施肥条数（６条）」は「多条」に、「繰り出し部」は「肥料繰出ケース」に、「前後通路」は「肥料送出部」に、「エアーチャンバー」は「エアタンク」に、「送風機」は「送風機」に、「移植機」は「田植機」に、「前後通路の後端部」は「肥料繰出ケースの出口」に、「施肥ノズル」は「側条施肥シュート」に、「施肥管」は「搬送ホース」に、「苗載台」は「苗載台」に、「苗載せ台支持杆」は「苗台支柱」に、「連結具」は「ジョイント」に、「移植部」は「植付部」に、それぞれ対応している。
　ここで引用発明１において、「施肥管２４」は「施肥ノズル２５」の近傍において「苗載せ台支持杆２７」に取付けられているといえるから、引用発明１は、本件発明における「側条施肥シュート近傍の搬送ホースを取付ける支持部材」に相当するものを備えており、また同引用発明１において、「苗載せ台支持杆２７」は「移植部」の一部をなしているから、同引用発明１は、本件発明における「支持部材によって肥料送出側を植付部に支持させる」という構成に相当する構成を有しているといえる。
　また引用発明１において、「施肥管２４は、その上部位置において支持環２８を嵌挿し、２つの支持環２８，２８を連結杆２８ａで連結してその中間部をスプリング２９を介して苗載せ台支持杆２７に吊下げ」られているから、２条分を一組とした「施肥管」を、「支持環」、「連結杆」及び「スプリング」を介して、「苗載台」裏面の「苗載せ台支持杆」（「苗台支柱」）に間接的に保持させているということができる。一方本件発明において、「搬送ホース（４９）」を「係止させるホースガイドフレーム（１３７）を設け、苗載台（１６）裏面の左右苗台支柱（１３６）に前記ホースガイドフレーム（１３７）を固定させ」ることから、「搬送ホース」を、「ホースガイドフレーム」を介して「苗載台裏面」の「苗台支柱」に間接的に保持させているということができる。そこで「搬送ホース」（「施肥管」）に関して、本件発明と引用発明１とを包括して「搬送ホースを苗載台裏面の苗台支柱に間接的に保持させ」たものということができる。
　そうすると、両者は以下の点で一致し、また相違していると認められる。
一致点：
肥料を入れる施肥ホッパと、該ホッパの肥料を送出させる多条用の肥料繰出ケースと、前記ケースの肥料送出部に送風を供給するエアタンクと、エアタンクに設ける送風機を備える田植機において、前記肥料繰出ケースの出口を側条施肥シュートに接続させる多条用の各搬送ホースを苗載台裏面の苗台支柱に間接的に保持させ、肥料繰出ケース出口のジョイントに搬送ホースを連結させると共に、側条施肥シュート近傍の搬送ホースを取付ける支持部材を設け、支持部材によって搬送ホースの肥料送出側を植付部に支持させた田植機、の点。
相違点：
a．送風機を、本件発明においてはエアタンク一側に設けたのに対して、引用発明１においてはエアーチャンバー（エアタンク）の前部に設けた点。
b．搬送ホースを苗載台裏面の苗台支柱に間接的に保持させる構造が、本件発明においては、搬送ホース中間を係止させるホースガイドフレームを設け、苗載台裏面の左右苗台支柱に前記ホースガイドフレームを固定させ、搬送ホースのたれ下がり中間部を苗台支柱のホースガイドフレームに固定させた構造であるのに対して、引用発明１においては、２条分を一組とした施肥管（搬送ホース）を支持環、連結杆及びスプリングを介して苗載せ台支持杆（苗台支柱）に吊下げる構造であり、苗載せ台支持杆が左右に設けられているか否か明確でなく、吊下げ部が搬送ホースのたれ下がり中間部か否かも明確でない点。
c．本件発明は、肥料繰出ケース出口のジョイント近くでホースガイド体によって連結する２条分の搬送ホース間隔を、ジョイントに連結させる搬送ホース端部側の間隔よりも小さくし、ジョイントとガイドフレーム間の２条分の搬送ホースを正面視（平面視）逆ハの字型に延設させたのに対して、引用発明１はホースガイド体に相当するものを有しておらず、連結具（ジョイント）と、２条分を一組とした施肥管（搬送ホース）の、苗載せ台支持杆（苗台支柱）への吊下げ部間を正面視（平面視）逆ハの字型に延設させたものではない点。
　上記相違点について検討する。
　a．の相違点に関しては、施肥機を走行車後部に設けた田植機において、該施肥機に搭載する送風機をエアタンクの一側に設けることは、例えば引用発明２にも例示されるように周知の技術である。そして、該周知の技術を引用発明１におけるエアーチャンバー（エアタンク）の前部に配した送風機に適用して、これをエアーチャンバー（エアタンク）の一側に設けることは単なる設計の変更にすぎない。
　b．の相違点に関しては、引用発明３は、走行機体に装着した施肥機に接続される「肥料ホース２５，２５a‥」を、アッパーリンクに固定されている「支持部材２４」により、「略同一の平面内に整然と配列」して支持することを開示している。そして上記「支持部材２４」はその機能に照らすと、「肥料ホース」を固定させるための、アッパーリンクとの間に介在された固定部材であって、「肥料ホース」をアッパーリンクに間接的に保持させるための部材であるということができる。ここで上記「支持部材」が固定されるアッパーリンクは走行機体に対して前後方向に設けられると共に移植部の一部を成すものであり、苗載台の支持杆もアッパーリンクと同様に走行機体に対して前後方向に設けられると共に移植部の一部を成すものであるから、上記「支持部材」を、アッパーリンクに換えて苗載台の支持杆に固定することは十分に可能なものである。そして苗載台の支持杆は、苗載台を支えるというその機能に照らすと、通常苗載台裏面の左右に並設されるものであるから、引用発明１における「苗載せ台支持杆」も実質上左右に並設されているとするのが相当であり、そのような苗載せ台支持杆（苗台支柱）に上記「支持部材」を適用して、これにより２条分を一組とした施肥管（搬送ホース）の各々を苗載せ台支持杆（苗台支柱）に対して間接的に保持させることは当業者が容易に想到することができたものである。また、引用発明３における上記「支持部材２４」は、「肥料ホース２５，２５a‥の中途部」、すなわち中間部を支持するものであり、しかも引用発明１において施肥管（搬送ホース）を苗載台支持杆（苗台支柱）に対して間接的に保持させる技術的意義の一つが、該施肥管（搬送ホース）のたれ下がりを防止することにあることは明らかであるから、引用発明１における施肥管（搬送ホース）の保持部をたれ下がり中間部とすることは単なる設計事項にすぎない。
　c．の相違点に関しては、引用発明２は、「施肥管７の基端部７ｄ」を「バネ線材７ｅにより支持」することを開示している。ところで引用発明１において、２条分を一組とした施肥管（搬送ホース）の各々を「支持部材」（すなわち、本件発明における「ホースガイドフレーム」に相当するもの）を介して苗載せ台支持杆（苗台支柱）に間接的に保持させることは当業者が容易に想到することができたものであることはb．の相違点に関する検討として上記したとおりである。そして、引用発明１における苗載せ台支持杆（苗台支柱）に間接的に保持されている上記２条分を一組とした施肥管（搬送ホース）に、引用発明２が備える上記技術的事項を付加して、上記保持部に加えてさらに前後通路の後端部（肥料繰出ケース出口）の連結具（ジョイント）近くでも上記２条分を一組とした施肥管（搬送ホース）を保持するよう構成すること、すなわちc．の相違点に係る構成における「ホースガイド体」に相当する保持部を設けることは当業者が容易に想到することができたものである。ここで施肥管（搬送ホース）の安定的な保持のためには、２条分を一組とした施肥管（搬送ホース）の間隔を、端部の固定部から中間部側の保持部に至るにしたがって先細状となるように保持することは当業者にとって設計上自明な事項にすぎない。すなわち、２条分の施肥管（搬送ホース）の間隔を、連結具（ジョイント）に連結させる施肥管（搬送ホース）の端部側の間隔に比して、連結具（ジョイント）近くの保持部における間隔を相対的に小さくし、苗載せ台支持杆（苗台支柱）に間接的に保持されている中間部側の間隔をさらに相対的に小さくして、正面視（平面視）逆ハの字型に配置することは当業者が必要に応じてなし得る設計事項にすぎない。
　そして、上記の各相違点を備えた本件発明が奏する効果も、引用発明１ないし引用発明３が奏する効果から予測できる範囲内のものであり、格別のものとはいえない。
　したがって、本件発明は引用発明１ないし引用発明３に基いて当業者が容易に発明をすることができたものであるから、特許法第２９条第２項の規定により特許を受けることができない。
　　　　　　　　　　　　　　　　　　　　　　　　　　　　　　　　　
（４）むすび　　　　　　　　　　　　　　　　　　　　　　　　　　　
　以上のとおりであるから、本件発明は、特許法第２９条第２項の規定により特許を受けることができない。　
　したがって、本件発明についての特許は拒絶の査定をしなければならない特許出願に対してされたものと認める。　　　　　　　　　　　　　　　
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１５年７月１０日（２００３．７．１０）
【訂正の要旨】
審決（決定）の【理由】欄参照。
（５４）【発明の名称】
田植機
（５７）【特許請求の範囲】
　【請求項１】　肥料を入れる施肥ホッパ（４６）と、該ホッパ（４６）の肥料を送出させる多条用の肥料繰出ケース（４７）と、前記ケース（４７）の肥料送出部に送風を供給するエアタンク（５１）と、エアタンク（５１）一側に設ける送風機（５０）を備える田植機において、前記肥料繰出ケース（４７）の出口を側条施肥シュート（４８）に接続させる多条用の各搬送ホース（４９）中間を係止させるホースガイドフレーム（１３７）を設け、苗載台（１６）裏面の左右苗台支柱（１３６）に前記ホースガイドフレーム（１３７）を固定させ
、肥料繰出ケース（４７）出口のジョイント（７６）近くでホースガイド体（１３３）によって連結する２条分の搬送ホース（４９）間隔を、ジョイント（７６）に連結させる搬送ホース（４９）端部側の間隔よりも小さくし、ジョイント（７６）とガイドフレーム（１３７）間の２条分の搬送ホース（４９）を正面視（平面視）逆ハの字形に延設させ
【発明の詳細な説明】
　【０００１】
　【発明の属する技術分野】
　本発明は例えば苗載台及び植付爪を備えて連続的に苗植作業を行う田植機に関する。
　【０００２】
　【従来の技術】
　従来、特開平５−２６８８１５号公報に示す如く、走行車にミッドマウント型の施肥機を取付ける技術があった。
　【０００３】
　【発明が解決しようとする課題】
　前記従来技術は、走行車側の肥料繰出ケース出口を植付部側の側条施肥シュートに接続させる搬送ホースを設けていたが、植付部の昇降に必要な長さに搬送ホースを長くすると、該ホース中間部が自重で下方に折曲がり、前記ホースが下方の後輪に接触したり、前記シュート出口からホースが外れる等の不具合があると共に、環状ガイドに前記ホース中間を挿通させてホースの折曲がりを防ぐと、ホースの上方向の折曲げも制限されるから、植付部上昇時にホースが上方に無理に曲げられ易い等の不具合がある。また、６条植え等の多条植付部では植付条数と同数の搬送ホースが苗載台裏面側に延設され、苗載台裏面側での前記ホースの固定を容易に行い得ない等の問題があった。また、植付部の昇降によって前記搬送ホース中間が左右方向に折れて横倒れ状態となり、隣接の植付深さ調節レバーなどに前記ホースが引掛り易い等の不具合があった。
　【０００４】
　【課題を解決するための手段】
　然るに、本発明は、肥料を入れる施肥ホッパと、該ホッパの肥料を送出させる多条用の肥料繰出ケースと、前記ケースの肥料送出部に送風を供給するエアタンクと、エアタンク一側に設ける送風機を備える田植機において、前記肥料繰出ケースの出口を側条施肥シュートに接続させる多条用の各搬送ホース中間を係止させるホースガイドフレームを設け、苗載台裏面の左右苗台支柱に前記ホースガイドフレームを固定させ
、肥料繰出ケース出口のジョイント近くでホースガイド体によって連結する２条分の搬送ホース間隔を、ジョイントに連結させる搬送ホース端部側の間隔よりも小さくし、ジョイントとガイドフレーム間の２条分の搬送ホースを正面視（平面視）逆ハの字形に延設させ
　【０００５】
　【発明の実施の形態】
　以下、本発明の実施例を図面に基づいて詳述する。図１は搬送ホース部の側面説明図、図２は乗用田植機の側面図、図３は同平面図を示し、図中（１）は作業者が搭乗する走行車であり、エンジン（２）を車体フレーム（３）前部上方に搭載させ、ギヤ変速ケース（４）前方にフロントアクスルケース（５）を介して水田走行用前輪（６）を支持させると共に、前記ギヤ変速ケース（４）の後部にリヤアクスルケース（７）を連設し、前記リヤアクスルケース（７）に水田走行用後輪（８）を支持させる。そして前記エンジン（２）等を覆うボンネット（９）両側に予備苗載台（１０）を取付けると共に、ステップ（１１）を介して作業者が搭乗する車体カバー（１２）によって前記ギヤ変速ケース（４）等を覆い、前記車体カバー（１２）上部に運転席（１３）を取付け、その運転席（１３）の前方で前記ボンネット（９）後部に操向ハンドル（１４）を設ける。
　【０００６】
　また、図中（１５）は６条植え用の苗載台（１６）並びに複数の植付爪（１７）などを具備する植付部であり、前高後低の合成樹脂製の前傾式苗載台（１６）を下部レール（１８）及びガイドレール（１９）を介して植付ケース（２０）に左右往復摺動自在に支持させると共に、一方向に等速回転させるロータリケース（２１）を前記植付ケース（２０）に支持させ、該ケース（２１）の回転軸芯を中心に対称位置に一対の爪ケース（２２）（２２）を配設し、その爪ケース（２２）（２２）先端に植付爪（１７）（１７）を取付ける。また前記植付ケース（２０）の前側にローリング支点軸（２３）を介して支持フレーム（２４）を設け、トップリンク（２５）及びロワーリンク（２６）を含むリンク機構（２７）を介して走行車（１）後側に支持フレーム（２４）を連結させ、前記リンク機構（２７）を介して植付部（１５）を昇降させる昇降シリンダ（２８）をロワーリンク（２６）に連結させ、前記前後輪（６）（８）を走行駆動して移動すると同時に、左右に往復摺動させる苗載台（１６）から一株分の苗を植付爪（１７）によって取出し、連続的に苗植え作業を行うように構成する。
　【０００７】
　また、図中（２９）は走行変速レバー、（３０）は植付昇降兼作業走行変速用副変速レバー、（３１）は植付け感度調節レバー、（３２）は主クラッチペダル、（３３）（３３）は左右ブレーキペダル、（３４）は２条分均平用センターフロート、（３５）は２条分均平用サイドフロート、（３６）は６条用の側条施肥機である。
　【０００８】
　さらに、図４、図５に示す如く、左右一対の四角筒形の前記車体フレーム（３）（３）前部にエンジン（２）を搭載し、前車軸（３７）（３７）を介して左右前輪（６）（６）を軸支させるフロントアクスルケース（５）をエンジン（２）後方の車体フレーム（３）（３）下面に取付け、フロントアクスルケース（５）後方の左右車体フレーム（３）（３）間に無段ベルト変速ケース（３８）を設け、無段変速ケース（３８）後方の左右車体フレーム（３）（３）間にギヤ変速ケース（４）を設けると共に、後車軸（３９）（３９）を介して左右後輪（８）（８）を軸支させるリヤアクスルケース（７）を左右車体フレーム（３）（３）後端下面に固設させ、エンジン（２）出力を各変速ケース（３８）（４）を介して各アクスルケース（５）（７）に走行駆動力として伝達させ、前後輪（６）（８）を駆動するように構成している。
　【０００９】
　また、左右車体フレーム（３）（３）後端部上面に左右支柱（４０）（４０）を立設させ、左右支柱（４０）（４０）上端を水平フレーム（４１）によって連結させ、支柱（４０）と水平フレーム（４１）を一体固定させて正面視門形に形成する。そして、車体フレーム（３）中間のブレーキペダル受軸（４２）と、前記水平フレーム（４１）中間の間に、前低後高に傾斜させるサブフレーム（４３）（４３）を架設させると共に、サブフレーム（４３）（４３）間に昇降シリンダ（２８）を取付け、またトップリンク（２５）及びロワーリンク（２６）で形成するリンク機構（２７）を各フレーム（３）（４１）に支軸（４４）（４５）を介して取付け、昇降シリンダ（２８）によってリンク機構（２７）を揺動させて植付部（１５）を昇降させるように構成している。
　【００１０】
　さらに、図６、図７に示す如く、肥料を入れる施肥ホッパ（４６）と、肥料を定量供給する肥料繰出ケース（４７）と、フロート（３４）（３５）の側条施肥シュート（４８）にフレキシブル形搬送ホース（４９）を介して肥料を排出させる送風機（５０）と、円筒形のエアタンク（５１）とを、前記施肥機（３６）に備えると共に、エアタンク（５１）右側端に送風機（５０）を取付け、６条分の６組の肥料繰出ケース（４７）…をエアタンク（５１）上側に配設させている。
　【００１１】
　さらに、図８、図９、図１０、図１１、図１２に示す如く、前記車体フレーム（３）後端部で水平フレーム（４１）両側に左右ベースフレーム（５２）（５２）を取付け、前後方向に略水平に横架させる前記ベースフレーム（５２）を介して施肥機（３６）を設けると共に、左右ベースフレーム（５２）（５２）にブラケット（５４）（５４）を介してエアタンク（５１）をボルト止め固定させるもので、ベースフレーム（５２）後端部と車体フレーム（３）間にサイドステー（５５）を連結させ、略水平に横架させるベースフレーム（５２）前後側に前後昇降レール（５６）…を立設させ、前後一組左右二対の４本の該昇降レール（５６）（５６）（５６）（５６）を介して施肥機（３６）を昇降自在に取付けると共に、左右一対の２本のガススプリング（５７）（５７）によって昇降自在に施肥機（３６）を取付け、車体フレーム（３）後端部に配置させるリヤアクスルケース（７）に施肥機（３６）重量を支持させるもので、図１３にも示す如く、前後昇降レール（５６）（５６）に対向させる軸受板（５８）を設け、前記レール（５６）に転動自在に嵌込むベアリングローラ（５９）…を軸受板（５８）に回転自在に軸支させ、前後２本のレール（５６）（５６）を左右対称に２組設け、１本のレール（５６）に対して上下２個のローラ（５９）（５９）を取付け、左右一対の軸受板（５８）（５８）を４本のレール（５６）と８個のローラ（５９）…によってベースフレーム（５２）に昇降自在に支持させている。
　【００１２】
　また、前記ガススプリング（５７）の下端を前記車体フレーム（３）に連結させ、前記軸受板（５８）にガススプリング（５７）上端を連結させ、前記レール（５６）とガススプリング（５７）を略平行に立設させると共に、施肥機（３６）の前後幅方向の重心位置にガススプリング（５７）を連結させるもので、施肥機（３６）の重量と略等しいかまたは若干小さい伸張力をガススプリング（５７）が有するように構成している。
　【００１３】
　さらに、図１２、図１４、図１５、図１６に示す如く、左右の軸受板（５８）（５８）を丸パイプ形の前フレーム（６０）によって一体固定させ、施肥機（３６）を持上げるときに作業者が握る取手（６１）を前記前フレーム（６０）に溶接固定させ、左右の前記軸受板（５８）（５８）に支軸（６２）（６２）を介して左右ロックレバー（６３）（６３）を回転自在に軸支させ、前側の左右昇降レール（５６）（５６）に左右ロックレバー（６３）（６３）を介して左右軸受板（５８）（５８）前部を係止させると共に、後側の左右昇降レール（５６）（５６）に左右ロックピン（６４）（６４）を摺動自在に取付け、図１３に示す軸受板（５８）の係合孔（５８ａ）にロックピン（６４）を係脱自在に係入させ、後側の左右昇降レール（５６）（５６）に左右軸受板（５６）（５６）後部を左右ロックピン（６４）（６４）を介して係止させ、軸受板（５６）の前部と後部を前後の昇降レール（５６）（５６）にロックレバー（６３）とロックピン（６４）により固定させる。また、前記昇降レール（５６）に上下係合孔（６５）（６６）を形成させ、各係合孔（６５）（６６）にロックレバー（６３）を係入させて施肥機（３６）を上昇位置または下降位置で固定支持させるもので、ロックレバー（６３）を前記取手（６１）の下側に延出させ、運転席（１３）側に突設させる取手（６１）を作業者が握り乍らロックレバー（６３）を操作し、ロックレバー（６３）を係合孔（６５）（６６）から離脱させることができるように構成している。
　【００１４】
　また、前記前フレーム（６０）にケース前ブラケット（６７）を溶接固定させ、該ケース前ブラケット（６７）に前記繰出ケース（４７）前側をボルト止め固定させるもので、１ユニットとして構成する２条分の繰出ケース（４７）（４７）を左右の昇降レール（５６）（５６）間に配設させ、昇降レール（５６）（５６）の機外側に２条分の繰出ケース（４７）（４７）を夫々配設させ、２条１組として３ユニットの繰出ケース（４７）…を左右に並設させている。
　【００１５】
　さらに、図１７、図１８、図１９に示す如く、前記繰出ケース（４７）の上面前側の取入口（６８）に前記ホッパ（４６）の下部出口（６９）を嵌着させると共に、前記繰出ケース（４７）前面下側に取出口（７０）を形成し、着脱自在なキャップ（７１）によって取出口（７０）を閉塞している。前記キャップ（７１）を取外して取出口（７０）を開放し、タンク（４６）内部の肥料を前側下方に流下させるもので、このときに施肥機（３６）を昇降レール（５６）の上昇位置に支持させ、取出口（７０）と下方のエアタンク（５１）の間隔を拡大させ、肥料を入れる容器を前記取出口（７０）下方に容易に差し入れることができ、残留肥料の取出しを容易に行えるように構成している。
　【００１６】
　また、前記繰出ケース（４７）下面に閉塞レバー（７２）を介して底蓋（７３）を着脱自在に固定させると共に、硬質合成樹脂製の前記底蓋（７３）下面に出口（７４）を形成するもので、エアタンク（５１）に前端部を嵌着させる軟質合成樹脂製の接合パイプ（７５）を備え、該パイプ（７５）後端に硬質合成樹脂製のジョイント（７６）前端を着脱自在に嵌着させると共に、前記ジョイント（７６）後端に前記搬送ホース（４９）を嵌着させ、前記送風機（５０）の送風をエアタンク（５１）から各パイプ（７５）…及びホース（４９）に吹出させ、底蓋（７３）の出口（７４）からジョイント（７６）中間に落下する肥料を搬送ホース（４９）に移動させるもので、Ｔ字形フランジを形成する前記ジョイント（７６）中間に入口（７７）を上向き開放に形成し、底蓋（７３）の出口（７４）に嵌合キャップ（７８）を固定させ、該キャップ（７８）を前記入口（７７）に着脱自在に嵌着させ、出口（７４）を入口（７７）に接続させると共に、前記エアタンク（５１）に取付板（７９）を一体固定させ、取付板（７９）に前記ジョイント（７６）をボルト止め固定させている。
　【００１７】
　また、取入口（８０）及び吹出口（８１）を有する入口板（８２）と、同一円周上に略四角形の複数の繰出口（８３）…を有する繰出板（８４）と、排出口（８５）を有する出口板（８６）を備え、略円形平板製の前記各板（８２）（８４）（８６）を繰出ケース（４７）と底蓋（７３）の間に多層状に配設させると共に、繰出ケース（４７）に繰出軸（８７）を略垂直に回転自在に軸支させ、各板（８２）（８４）（８６）の中央部に繰出軸（８７）下端側を貫通させ、繰出軸（８７）下端にゴム輪（８８）を着脱自在に係止させ、各板（８２）（８４）（８６）を下方に抜出し自在に繰出軸（８７）に支持させ、かつ閉塞レバー（７２）によって各板（８２）（８４）（８６）を繰出ケース（４７）と底蓋（７３）間に弾圧させるもので、入口板（８２）と出口板（８６）を繰出ケース（４７）に係止させ、各板（８２）（８６）に対して繰出軸（８７）を遊転させると共に、繰出板（８４）を繰出軸（８７）に係合軸支させ、繰出軸（８７）によって繰出板（８４）を強制的に回転させ、取入口（８０）から繰出口（８３）に入った肥料を排出口（８５）に移動させて出口（７４）方向に落下させるように構成している。
　【００１８】
　また、前記取入口（８０）端部で繰出口（８３）上面の余分な肥料を取除くブラシ（８９）を備え、高さ調節する撮（９０）を介して前記ブラシ（８９）を繰出ケース（４７）に高さ調節自在に取付け、繰出板（８４）上面に対するブラシ（８９）下端の高さ調節を繰出ケース（４７）外部から行い、繰出口（８３）の肥料送出量を調節するように構成している。
　【００１９】
　また、前記入口板（８２）の吹出口（８１）に対向させる圧風取入口（９１）を繰出ケース（４７）に形成し、前記エアタンク（５１）の中空部と前記圧風取入口（９１）を分流パイプ（９２）によって連通させ、前記パイプ（９２）及び取入口（９１）を介して送風機（５０）及びエアタンク（５１）からの送風を吹出口（８１）に供給し、排出口（８５）位置に移動した繰出口（８３）に吹出口（８１）から送風し、該送風によって繰出口（８３）の肥料を下方に強制的に落下させ、粒形の肥料またはこの粉が繰出口（８３）内に残るのを防ぐように構成している。
　【００２０】
　さらに、図１１、図１６などに示す如く、前記エンジン（２）出力を植付部（１５）に伝達させるＰＴＯ軸（９３）をギヤ変速ケース（４）から後方に延出させると共に、前記左支柱（４０）に軸受筒（９４）を溶接固定させ、軸受筒（９４）の施肥入力軸（９５）を前記ＰＴＯ軸（９３）中間にチェン（９６）を介して連動連結させる。前記施肥入力軸（９５）後端部にクランク板（９７）をボールロック構造により着脱自在に固定させる。また、前記軸受板（５８）及びケース後ブラケット（９８）を一体固定させる四角パイプ形後面フレーム（９９）を備え、エアタンク（５１）及び前フレーム（６０）と略平行に後面フレーム（９９）を横架させ、ケース後ブラケット（９８）に前記繰出ケース（４７）後側をボルト止め固定させる。
　【００２１】
　また、前記左の軸受板（５８）にブラケット（１００）及び軸（１０１）を介して繰出量調節レバー（１０２）を軸支させると共に、左の軸受板（５８）に支軸（１０３）を介して調節リンク（１０４）及び支点リンク（１０５）を設け、前記レバー（１０２）のネジ部（１０６）に調節リンク（１０４）を連結させ、支点リンク（１０５）に調節支点（１０７）を取付け、該支点（１０７）に駆動アーム（１０８）を軸支させる。そして、運転席（１３）方向に突出させる前記レバー（１０２）の回転操作によってネジ部（１０６）を回転させることにより、前記各リンク（１０４）（１０５）が一体的に回転し、前記調節支点（１０７）位置を変更させるもので、運転席（１３）の作業者によって前記レバー（１０２）の繰出量調節操作が行えるように構成している。
　【００２２】
　また、前記後面フレーム（９９）に軸受板（１０９）を介して繰出駆動軸（１１０）を回転自在に軸支させ、該駆動軸（１１０）に揺動アーム（１１１）を固定させ、前記駆動アーム（１０８）に長さ調節自在な伸縮ロッド（１１２）一端側を連結させ、かつ前記揺動アーム（１１１）に前記伸縮ロッド（１１２）の他端側を連結させると共に、前記クランク板（９７）を駆動アーム（１０８）に入力ロッド（１１３）を介して連結させ、植付駆動用のＰＴＯ軸（９３）から駆動アーム（１０８）及び入力ロッド（１１３）を介して繰出駆動軸（１１０）に駆動力を伝え、図示しない植付クラッチの入切によって植付部（１５）と施肥機（３６）を同時に作動させたり停止させる操作を行い、また施肥入力軸（９５）に対してクランク板（９７）を取外して駆動部を切離して施肥機（３６）の上昇部を持上げる操作を行うもので、前記レバー（１０２）操作により調節支点（１０７）を位置変更させ、伸縮ロッド（１１２）の往復ストロークを無段階に変更させて肥料繰出量の無段調節を行うように構成している。
　【００２３】
　さらに、図１０に示す如く、前記後面フレーム（９９）に連れ回り防止一方向クラッチ（１１４）を介してクラッチ軸（１１６）を軸支させ、該クラッチ軸（１１６）に一方向クラッチ（１１７）を介して入力リンク（１１８）を設けると共に、前記繰出駆動軸（１０９）に揺動リンク（１１９）を固定させ、該リンク（１１９）を前記入力リンク（１１８）に連係ロッド（１２０）を介して連結させ、入力リンク（１１８）を揺動させてクラッチ軸（１１６）を一方向に間欠的に回転させるように構成している。
　【００２４】
　また、前記繰出ケース（４７）に条止めクラッチケース（１２１）を固定させると共に、前記繰出軸（８７）上端側にベベルギヤ（１２２）（１２３）を介して入力軸（１２４）を常時連結させるもので、入力軸（１２４）を前記クラッチ軸（１１６）に継断自在に連結させる条止めクラッチ（図示省略）を前記クラッチケース（１２１）に内設させると共に、前記ケース（１２１）の条止めクラッチを継断操作するクラッチレバー（１２６）とクラッチアーム（１２７）を前記クラッチケース（１２１）の前後に振分け配設させ、前記植付部（１５）の苗載台（１６）上側背面部に設ける植付け条止め用ユニットクラッチレバー（１２８）に、後面フレーム（９８）のアウタ受（１２９）により張設させる条止めワイヤ（１３０）を介して、前記クラッチアーム（１２７）を連結させる。そして、前記植付け条止めユニットクラッチレバー（１２８）操作によって６条植え用の各植付爪（１７）…のいずれかを停止させたとき、停止させた植付爪（１７）に対応する前記ケース（１２１）の条止めクラッチを切断動作させて施肥動作を中止させ、植付爪（１７）によって苗を植付ける条にだけ施肥を行うもので、例えば左側と中央の４条の苗植付けを行うとき、左側と中央の４条の繰出ケース（４７）…から施肥を行うと共に、作業者によってクラッチレバー（１２６）を操作して前記ケース（１２１）の条止めクラッチを切断させることにより、６条の繰出ケース（４７）…のいずれかまたは全部を任意に選択して、苗植付けとは関係なく、施肥を中止させることができるように構成している。
　【００２５】
　さらに、図８、図９、図１０、図１２に示す如く、前側の左右の昇降レール（５６）（５６）上端部に左右支脚（１３１）（１３１）下端部を固定させ、左右支脚（１３１）（１３１）上端部の間のパイプフレーム（１３２）両側を固定させ、中央２条分の施肥ホッパ（４６）（４６）前側にパイプフレーム（１３２）を横架させるもので、パイプフレーム（１３２）の連結によって左右昇降レール（５６）（５６）を補強すると共に、図６のように運転席（１３）後側の車体カバー（１２）後部中央上面に補充用の肥料袋（１３４）を載せたとき、肥料袋（１３４）の前方傾倒を運転席（１３）によって防ぎ、略平行に左右に延設させた上方のパイプフレーム（１３２）と下方の取手（６１）によって肥料袋（１３４）の後方傾倒を防ぐ。また、１ユニット２条分の搬送ホース（４９）（４９）下側に丸棒形ホースガイド体（１３３）の中間を延設させ、前記ホースガイド体（１３３）両端部を搬送ホース（４９）上方に折曲げて取付板（７９）（７９）側面に固定させ、ジョイント（７６）連結部近くの搬送ホース（４９）の下方向及び左右方向の折曲がりをホースガイド体（１３３）によって制限し、ジョイント（７６）延長方向に搬送ホース（４９）連結端部を延設支持させ、搬送ホース（４９）の折曲がりによって該ホース（４９）連結端部がジョイント（７６）から外れるのを防いでいる。
　【００２６】
　さらに、図１３、図１４、図１５に示す如く、中央２条分の肥料繰出ケース（４７）（４７）取付位置外側で前フレーム（６０）と後面フレーム（９９）に左右の軸受板（５８）（５８）を溶接固定させると共に、前フレーム（６０）と後面フレーム（９９）の両端部を左右のサイドフレーム（１３５）（１３５）によって一体固定させ、両側２条分の肥料繰出ケース（４７）（４７）を軸受板（５８）とサイドフレーム（１３５）間の前フレーム（６０）及び後面フレーム（９９）に取付けるもので、四角枠形の各フレーム（６０）（９９）（１３５）を軸受板（５８）によって左右方向に三等分に区切り、前後のフレーム（６０）（９９）間に６条分の肥料繰出ケース（４７）を掛け渡し支持させる。
　【００２７】
　さらに、図１、図２０、図２１、図２２に示す如く、弾性を有する可撓性の金属丸棒製の前記ホースガイド体（１３３）を設け、前記ジョイント（７６）近くの搬送ホース（４９）端部を下方側からホースガイド体（１３３）によって支持させ、前記肥料繰出ケース（４７）の出口を側条施肥シュート（４８）に接続させる少なくとも２条分の搬送ホース（４９）（４９）の下面方向の折曲がりを１本のホースガイド体（１３３）によって規制し、前記肥料繰出ケース（４７）出口側で搬送ホース（４９）の下方向曲がりをホースガイド体によって防ぎ、搬送ホース（４９）が下方の後輪（８）などに干渉するのを阻止すると共に、搬送ホース（４９）の上方向曲がりを自由にすることにより、植付部（１５）上昇時に搬送ホース（４９）が無理に曲げられるのを防いでいる。
　【００２８】
　また、前記植付ケース（２０）に下端側を固定させてガイドレール（１９）を上端側に支持させる左右の苗台支柱（１３６）（１３６）中間部にホースガイドフレーム（１３７）をボルト止め固定させ、前記苗載台（１６）裏面側で左右方向に略水平にホースガイドフレーム（１３７）を横架させると共に、板バネ製で一部切欠円形の挾持バンド（１３８）をホースガイドフレーム（１３７）に固定させ、挾持バンド（１３８）内に一部切欠部を介して搬送ホース（４９）中間を着脱自在に内挿させ、６個の挾持バンド（１３８）…を介して１本のホースガイドフレーム（１３７）に６本の搬送ホース（４９）…中間を固定させるもので、前記肥料繰出ケース（４７）の出口を側条施肥シュート（４８）に接続させる多条用の各搬送ホース（４９）…中間を係止させる単一のホースガイドフレーム（１３７）を設け、植付部（１５）の苗載台（１６）裏面側に前記ホースガイドフレーム（１３７）を配設させ、多条用の各搬送ホース（４９）…を苗載台（１６）裏面側でホースガイドフレーム（１３７）によって整列させて支持している。
　【００２９】
　また、前記挾持バンド（１３８）と略同一形状の左右挾持部（１３９）（１３９）を有する支持アーム（１４０）を前記植付ケース（２０）に固定させ、前記側条施肥シュート（４８）近くの搬送ホース（４９）端部を挾持部（１３９）に着脱自在に係止させると共に、前記ジョイント（７６）とホースガイドフレーム（１３７）間の搬送ホース（４９）を隣接の搬送ホース（４９）に連結させるホース結束体（１４１）を設け、バネ鋼で形成する丸棒形の前記ホース結束体（１４１）両側を円形に折曲げて左右係止部（１４２）（１４２）を形成し、隣接する２条分２本の搬送ホース（４９）（４９）を左右係止部（１４２）（１４２）に着脱自在に係入させるもので、前記肥料繰出ケース（４７）の出口を側条施肥シュート（４８）に接続させる少なくとも２条分の搬送ホース（４９）（４９）中間をホース結束体（１４１）によって結束して互に折曲がるのを規制し、ホース結束体（１４１）の連結により搬送ホース（４９）の左右方向折曲がりを互に規制して横倒れを容易に防ぐと共に、植付部（１５）を昇降させたとき、ホース結束体（１４１）によって連結された２本の搬送ホース（４９）（４９）が同一方向に緩やかに折曲がり、植付部（１５）昇降時に搬送ホース（４９）がスムーズに変形し、搬送ホース（４９）が急激に折曲がったり、接合部が外れる等の不具合をなくしている。
　【００３０】
　上記から明らかなように、肥料を入れる施肥ホッパ（４６）と、該ホッパ（４６）の肥料を送出させる多条用の肥料繰出ケース（４７）と、前記ケース（４７）の肥料送出部に送風を供給するエアタンク（５１）と、エアタンク（５１）一側に設ける送風機（５０）を備える田植機において、前記肥料繰出ケース（４７）の出口を側条施肥シュート（４８）に接続させる多条用の各搬送ホース（４９）中間を係止させる単一のホースガイドフレーム（１３７）を設け、苗載台（１６）裏面の左右苗台支柱（１３６）に前記ホースガイドフレーム（１３７）を固定させると共に、側条施肥シュート（４８）近傍の搬送ホース（４９）を取付ける支持部材である支持アーム（１４０）を設ける。そして、植付部（１５）の苗載台（１６）裏面側に前記ホースガイドフレーム（１３７）を配設させ、多条用の各搬送ホース（４９）を苗載台（１６）裏面側でホースガイドフレーム（１３７）によって整列させて支持させると共に、電気配線または操作ワイヤ張設などに前記ホースガイドフレーム（１３７）を兼用して苗載台（１６）裏面側構造の簡略化並びにメンテナンス作業性の向上などを図る。また、苗載台（１６）傾斜上端側を支える左右苗台支柱（１３６）を利用して前記ホースガイドフレーム（１３７）を固定させ、ホースガイドフレーム（１３７）の支持強度の確保並びに取付け構造の簡略化などを行い、また前記ホースガイドフレーム（１３７）及び支持部材（１４０）によって搬送ホース（４９）中間部及び下端部を適正姿勢で適正位置に支持し、泥土が付着し易い搬送ホース（４９）中間乃至下端側が脱落したり他の部材と接触するのを防止する。
　【００３１】
　また、図２０のように、中央２条分の搬送ホース（４９）（４９）をホース結束体（１４１）によって連結させ、左右両側の２条分の搬送ホース（４９）（４９）をホースガイド体（１３３）に支持させると共に、前記結束体（１４１）及びガイド体（１３３）によって連結する２条分のホース（４９）（４９）間隔を、ジョイント（７６）に連結させるホース（４９）（４９）端部側の間隔よりも小さくし、ジョイント（７６）とガイドフレーム（１３７）間の２条分のホース（４９）（４９）を正面視（平面視）逆ハの字形に延設させ、前記２条分のホース（４９）（４９）が外側に横倒れしにくいように支持している。また、前記ホース結束体（１４１）の連結によって中央２条分のホース（４９）（４９）がリンク機構（２７）の左右幅内上方に支持されると共に、左右の各２条分のホース（４９）（４９）もホース結束体（１４１）によって連結してもよく、中央の２条分のホース（４９）（４９）をガイド体（１３３）によって支持してもよい。
　【００３２】
　さらに、図２３に示す如く、前記搬送ホース（４９）を側条施肥シュート（４８）に電気絶縁性合成樹脂製ブーツ（１４３）を介して連結させると共に、前記ブーツ（１４３）に一体形成するセンサ取付部（１４４）に詰りセンサ（１４５）を差込み、また前記シュート（４８）をアース接続させ、側条施肥シュート（４８）内部に肥料が詰ったとき、前記センサ（１４５）が肥料を介して導電性の前記シュート（４８）に電気接続され、肥料の詰り検出が行われるもので、特別に部品を取付けることなくブーツ（１４３）に前記センサ（１４５）を支持させ、肥料の取付部品への付着による錆びを防いでセンサ（１４５）の経時的性能低下を防ぎ、かつセンサ（１４５）部の肥料粉塵の除去を容易に行えるように構成している。
　【００３３】
　【発明の効果】
　以上実施例から明らかなように本発明は、肥料を入れる施肥ホッパ（４６）と、該ホッパ（４６）の肥料を送出させる多条用の肥料繰出ケース（４７）と、前記ケース（４７）の肥料送出部に送風を供給するエアタンク（５１）と、エアタンク（５１）一側に設ける送風機（５０）を備える田植機において、前記肥料繰出ケース（４７）の出口を側条施肥シュート（４８）に接続させる多条用の各搬送ホース（４９）中間を係止させるホースガイドフレーム（１３７）を設け、苗載台（１６）裏面の左右苗台支柱（１３６）に前記ホースガイドフレーム（１３７）を固定させ
、肥料繰出ケース（４７）出口のジョイント（７６）近くでホースガイド体（１３３）によって連結する２条分の搬送ホース（４９）間隔を、ジョイント（７６）に連結させる搬送ホース（４９）端部側の間隔よりも小さくし、ジョイント（７６）とガイドフレーム（１３７）間の２条分の搬送ホース（４９）を正面視（平面視）逆ハの字形に延設させ
【図面の簡単な説明】
　【図１】搬送ホース部の側面説明図。
　【図２】全体の側面図。
　【図３】同平面図。
　【図４】走行車の側面図。
　【図５】同平面図。
　【図６】施肥機部の平面図。
　【図７】同背面図。
　【図８】昇降レール部側面図。
　【図９】肥料繰出ケース部の側面図。
　【図１０】肥料繰出ケース部の平面図。
　【図１１】ベースフレーム部の側面図。
　【図１２】肥料繰出ケース部の背面図。
　【図１３】軸受板部の側面図。
　【図１４】取手部の平面図。
　【図１５】同背面図。
　【図１６】同側面図。
　【図１７】肥料繰出ケースの断面側面図。
　【図１８】同断面背面図。
　【図１９】同断面平面図。
　【図２０】搬送ホース部の正面説明図。
　【図２１】同部分平面図。
　【図２２】同部分平面図。
　【図２３】同部分側面図。
　【符号の説明】
　（１６）　　苗載台
　（４６）　　施肥ホッパ
　（４７）　　肥料繰出ケース
　（４８）　　側条施肥シュート
　（４９）　　搬送ホース
　（５０）　　送風機
　（５１）　　エアタンク
　
（７６）
ジョイント
　
（１３３）
ホースガイド体
　（１３６）　苗台支柱
　（１３７）　ホースガイドフレーム
　（１４０）　支持アーム（支持部材）